(57)【特許請求の範囲】
【請求項１】
複数の基本周波数ブロックを含むシステム帯域で移動端末装置と無線通信を行う無線基地局装置であって、
前記移動端末装置に対して前記複数の基本周波数ブロック毎に下りリンク制御チャネル信号を送信する送信部と、前記移動端末装置から所定の基本周波数ブロックに集約して通知される再送応答信号を受信する受信部と、を有し、
前記送信部は、所定の期間に前記送信部から送信された前記下りリンク制御チャネル信号の送信回数Ｎと、前記所定の期間に送信された前記下りリンク制御チャネル信号に付随する下りリンク共有チャネル信号に対して前記移動端末装置から通知された所定の再送応答信号の送信回数に関する情報とに基づいて、下りリンク制御チャネル信号の送信電力を制御する送信電力制御部を有することを特徴とする無線基地局装置。
【請求項２】
前記所定の再送応答信号の送信回数に関する情報が、前記移動端末装置が送信したＡＣＫ及びＮＡＣＫの送信回数Ｍ１であり、
前記送信電力制御部は、前記送信回数Ｍ１と、前記送信回数Ｎに基づいて、以下の式（１）を用いて前記下りリンク制御チャネル信号の送信電力のオフセット値を補正することを特徴とする請求項１に記載の無線基地局装置。
【数６】
0005388370.tif 000007
【請求項３】
前記所定の再送応答信号の送信回数に関する情報が、前記移動端末装置が送信したＮＡＣＫの送信回数Ｍ２であり、
前記送信電力制御部は、前記再送応答信号を受信した際に、前記再送応答信号の内容に基づいて、以下の式（２）を用いて前記下りリンク制御チャネル信号の送信電力のオフセット値を制御すると共に、前記送信回数Ｍ２に基づいて、以下の式（３）を用いて前記下りリンク制御チャネル信号の送信電力のオフセット値を補正することを特徴とする請求項１に記載の無線基地局装置。
【数７】
0005388370.tif 000008
【数８】
0005388370.tif 000009
【請求項４】
前記送信電力制御部は、２コードワード伝送の場合に、前記式（２）に換えて以下の式（４）を用いて前記下りリンク制御チャネル信号の送信電力のオフセット値を制御し、
各基本周波数ブロックにそれぞれ対応する２つの再送応答信号の双方がＮＡＣＫである場合に、前記ＮＡＣＫの送信回数Ｍ２をカウントし、前記送信回数Ｍ２に基づいて、前記式（３）を用いて前記下りリンク制御チャネル信号の送信電力のオフセット値を補正することを特徴とする請求項３に記載の無線基地局装置。
【数９】
0005388370.tif 000010
【請求項５】
前記送信電力制御部は、前記複数の基本周波数ブロックの中で前記所定の基本周波数ブロックを用いて選択的に送信された前記下りリンク共有チャネル信号に対する再送応答信号を受信した際に、前記再送応答信号の内容に基づいて、以下の式（５）を用いて前記下りリンク制御チャネル信号の送信電力のオフセット値を制御することを特徴とする請求項３又は請求項４に記載の無線基地局装置。
【数１０】
0005388370.tif 000011
【請求項６】
前記無線基地局装置から前記複数の基本周波数ブロック毎に通知される下りリンク制御チャネル信号を受信し、所定の期間に通知された前記下りリンク共有チャネル信号に対する所定の再送応答信号の送信回数に関する情報を検出する受信部と、
前記下りリンク制御チャネル信号に付随した下りリンク共有チャネル信号に対する再送応答信号を所定の基本周波数ブロックに集約して前記無線基地局装置に送信すると共に、前記下りリンク共有チャネル信号に対する所定の再送応答信号の送信回数に関する情報を前記無線基地局装置に通知する送信部を有することを特徴とする移動端末装置。
【請求項７】
前記送信部は、前記下りリンク共有チャネル信号に対する所定の再送応答信号の送信回数に関する情報を上りリンク共有チャネルに割当てて前記無線基地局装置に通知することを特徴とする請求項６に記載の移動端末装置。
【請求項８】
前記所定の再送応答信号の送信回数に関する情報が、前記送信部が送信したＡＣＫ及びＮＡＣＫの送信回数Ｍ１であることを特徴とする請求項７に記載の移動端末装置。
【請求項９】
前記所定の再送応答信号の送信回数に関する情報が、前記送信部が送信したＮＡＣＫの送信回数Ｍ２であることを特徴とする請求項７に記載の移動端末装置。
【請求項１０】
前記再送応答信号送信回数通知部は、２コードワード伝送の場合に、各基本周波数ブロックにそれぞれ対応する２つの再送応答信号のいずれかがＡＣＫであれば、前記ＮＡＣＫの送信回数Ｍ２に含めず、各基本周波数ブロックにそれぞれ対応する２つの再送応答信号の双方がＮＡＣＫである場合に、前記ＮＡＣＫの送信回数Ｍ２に含めることを特徴とする請求項９に記載の移動端末装置。
【請求項１１】
前記再送応答信号送信回数通知部は、前記複数の基本周波数ブロックの中で前記所定の基本周波数ブロックを用いて選択的に送信された前記下りリンク共有チャネル信号を受信した際に、受信した前記下りリンク共有チャネル信号に対する再送応答信号がＮＡＣＫである場合には、前記ＮＡＣＫの送信回数Ｍ２に含めないことを特徴とする請求項９又は請求項１０に記載の移動端末装置。
【請求項１２】
複数の基本周波数ブロックを含むシステム帯域で無線通信を行う無線基地局装置の下りリンク制御チャネル信号の送信電力を制御する送信電力制御方法であって、
前記無線基地局装置から移動端末装置に対して、前記複数の基本周波数ブロック毎に下りリンク制御チャネル信号を送信するステップと、
前記移動端末装置が、前記複数の基本周波数ブロック毎に前記下りリンク制御チャネル信号を受信し、前記下りリンク制御チャネル信号に付随した下りリンク共有チャネル信号に対する再送応答信号を所定の基本周波数ブロックに集約して前記無線基地局装置に送信するステップと、
前記移動端末装置が、所定の期間に通知された前記下りリンク共有チャネル信号に対する所定の再送応答信号の送信回数に関する情報を前記無線基地局装置に通知するステップと、
前記無線基地局装置が、前記所定の期間に送信した前記下りリンク制御チャネル信号の送信回数Ｎと、前記移動端末装置から通知された所定の再送応答信号の送信回数に関する情報とに基づいて、下りリンク制御チャネル信号の送信電力を制御するステップと、を有することを特徴とする送信電力制御方法。
【請求項１３】
前記所定の再送応答信号の送信回数に関する情報が、前記移動端末装置が送信したＡＣＫ及びＮＡＣＫの送信回数Ｍ１であり、
前記無線基地局装置は、前記送信回数Ｍ１と、前記送信回数Ｎに基づいて、以下の式（１）を用いて前記下りリンク制御チャネル信号の送信電力のオフセット値を補正することを特徴とする請求項１２に記載の送信電力制御方法。
【数１１】
0005388370.tif 000012
【請求項１４】
前記所定の再送応答信号の送信回数に関する情報が、前記移動端末装置が送信したＮＡＣＫの送信回数Ｍ２であり、
前記無線基地局装置は、前記再送応答信号を受信した際に、前記再送応答信号の内容に基づいて、以下の（２）を用いて前記下りリンク制御チャネル信号の送信電力のオフセット値を制御すると共に、前記送信回数Ｍ２に基づいて、以下の式（３）を用いて前記下りリンク制御チャネル信号の送信電力のオフセット値を補正することを特徴とする請求項１２に記載の送信電力制御方法。
【数１２】
0005388370.tif 000013
【数１３】
0005388370.tif 000014
【請求項１５】
前記無線基地局装置は、２コードワード伝送の場合に、前記式（３）に換えて以下の式（４）を用いて前記下りリンク制御チャネル信号の送信電力のオフセット値を制御し、
各基本周波数ブロックにそれぞれ対応する２つの再送応答信号の双方がＮＡＣＫである場合に、前記ＮＡＣＫの送信回数Ｍ２をカウントすることを特徴とする請求項１４に記載の送信電力制御方法。
【数１４】
0005388370.tif 000015
【請求項１６】
前記無線基地局装置は、前記複数の基本周波数ブロックの中で前記所定の基本周波数ブロックを用いて選択的に送信された前記下りリンク共有チャネル信号に対する再送応答信号を受信した際に、前記再送応答信号の内容に基づいて、以下の式（５）を用いて前記下りリンク制御チャネル信号の送信電力のオフセット値を制御することを特徴とする請求項１４又は請求項１５に記載の送信電力制御方法。
【数１５】
0005388370.tif 000016
【発明の詳細な説明】
【技術分野】
【０００１】
本発明は、無線基地局装置、移動端末装置及び送信電力制御方法に関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
上りリンクで送信される信号は、図１に示すように、適切な無線リソースにマッピングされて移動端末装置から無線基地局装置に送信される。この場合において、ユーザデータ（ＵＥ（User  Equipment）＃１，ＵＥ＃２）は、上りリンク共有チャネル（ＰＵＳＣＨ：Physical  Uplink  Shared  Channel）に割り当てられる。また、制御情報は、ユーザデータと同時に送信する場合はＰＵＳＣＨと時間多重され、制御情報のみを送信する場合は、上りリンク制御チャネル（ＰＵＣＣＨ：Physical  Uplink  Control  Channel）に割り当てられる。この上りリンクで送信される制御情報には、下りリンク共有チャネル（ＰＤＳＣＨ：：Physical  Downlink  Shared  Channel））信号に対する再送応答信号（ＡＣＫ／ＮＡＣＫ）などが含まれる。
【０００４】
また、ＬＴＥ（Ｒｅｌ−８）においては、ＰＤＳＣＨ信号の再送応答信号として、ＡＣＫ／ＮＡＣＫ信号に加えて、ＤＴＸ（Discontinuous  Transmission）がサポートされている。ＤＴＸは、「ＡＣＫもＮＡＣＫも移動端末装置から通知されなかった」という判定結果であり、これは移動端末装置が下りリンク制御チャネル（ＰＤＣＣＨ：Physical  Downlink  Control  Channel）信号を受信できなかったことを意味する（図２参照）。この場合、移動端末装置は、自局宛にＰＤＳＣＨ信号が送信されたことを検知しないため、結果としてＡＣＫもＮＡＣＫも送信しない（何も送信しない）ことになる。無線基地局装置は、ＡＣＫを受信すると次の新規データを送信するが、ＮＡＣＫや、応答がないＤＴＸ状態の場合は、送信したデータの再送信を行うように再送制御を行う。
【０００５】
また、ＤＴＸは、ＰＤＣＣＨ信号の送信電力制御等への適用が検討されている。例えば、無線基地局装置から移動端末装置に送信したＰＤＳＣＨ信号に対して、ＡＣＫ又はＮＡＣＫが通知された場合には、ＰＤＣＣＨ信号の送信電力が十分であると判断し、ＤＴＸが通知された（ＡＣＫもＮＡＣＫも通知されない）場合には、ＰＤＣＣＨ信号の送信電力が不十分であると判断して、ＰＤＣＣＨ信号の送信電力を制御することが検討されている。具体的には、ＰＤＣＣＨ信号のアウターループ制御において、ＡＣＫ又はＮＡＣＫが通知された場合にＰＤＣＣＨ信号の送信電力制御に用いるオフセット値ΔDL,iを下げ、ＤＴＸが通知された場合にＰＤＣＣＨ信号の送信電力制御に用いるオフセット値ΔDL,iを上げることにより、ＰＤＣＣＨ信号の送信電力制御に用いるオフセット値を適切に制御することが可能となる。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ところで、３ＧＰＰにおいては、更なる広帯域化及び高速化を目的として、ＬＴＥの後継のシステム（例えば、LTE-Advanced（ＬＴＥ−Ａ）システム）も検討されている。
【０００８】
ＬＴＥ−Ａシステムでは、更なる周波数利用効率及びピークスループットなどの向上を目標とし、ＬＴＥよりも広帯域な周波数の割当てが検討されている。例えば、ＬＴＥ−Ａ（Ｒｅｌ−１０）では、ＬＴＥとの後方互換性（Backward  compatibility）を持つことが一つの要求条件となっており、ＬＴＥが使用可能な帯域幅を有する基本周波数ブロック（コンポーネントキャリア(ＣＣ:Component  carrier）)を複数有する送信帯域のシステム構成を採用している。
【０００９】
このため、複数の下りＣＣで送信したＰＤＳＣＨ信号に対する再送制御情報は、単純にはＣＣ数倍に増大することとなる。また、これらに加えて、マルチセル協調送受信技術やＬＴＥよりも多い送受信アンテナを用いたＭＩＭＯ（Multiple  Input  Multiple  Output）技術などのＬＴＥ−Ａ特有の技術が検討されており、これらを制御するための再送制御情報の増大も考えられる。したがって、再送応答情報の情報量が多くなった場合であっても、再送応答情報を適用したＰＤＣＣＨ信号の送信電力制御を適切に行える構成について検討が必要となる。
【００１０】
本発明はかかる点に鑑みてなされたものであり、複数の基本周波数ブロックで構成されるシステム帯域を有する通信システムにおいて、送信電力制御を適切に行うことができる無線基地局装置、移動端末装置及び送信電力制御方法を提供することを目的の一とする。
【課題を解決するための手段】
【００１１】
本発明の無線基地局装置の一は、複数の基本周波数ブロックを含むシステム帯域で移動端末装置と無線通信を行う無線基地局装置であって、前記移動端末装置に対して前記複数の基本周波数ブロック毎に下りリンク制御チャネル信号を送信する送信部と、前記移動端末装置から所定の基本周波数ブロックに集約して通知される再送応答信号を受信する受信部と、を有し、前記送信部は、所定の期間に前記送信部から送信された前記下りリンク制御チャネル信号の送信回数Ｎと、前記所定の期間に送信された前記下りリンク制御チャネル信号に付随する下りリンク共有チャネル信号に対して前記移動端末装置から通知された所定の再送応答信号の送信回数に関する情報とに基づいて、下りリンク制御チャネル信号の送信電力を制御する送信電力制御部を有することを特徴とする。
【００１２】
この構成によれば、複数の基本周波数ブロックを有するシステム帯域において、各基本周波数ブロックで送信されたＰＤＳＣＨ信号に対する再送応答信号が所定の基本周波数ブロックに集約して送信される場合であっても、再送応答信号の送信回数を特定して、下りリンク制御チャネル信号の送信電力制御を適切に制御することが可能となる。
【００１３】
本発明の移動端末装置の一は、前記無線基地局装置から前記複数の基本周波数ブロック毎に通知される下りリンク制御チャネル信号を受信し、所定の期間に通知された前記下りリンク共有チャネル信号に対する所定の再送応答信号の送信回数に関する情報を検出する受信部と、前記下りリンク制御チャネル信号に付随した下りリンク共有チャネル信号に対する再送応答信号を所定の基本周波数ブロックに集約して前記無線基地局装置に送信すると共に、前記下りリンク共有チャネル信号に対する所定の再送応答信号の送信回数に関する情報を前記無線基地局装置に通知する送信部を有することを特徴とする。
【００１４】
本発明の送信電力制御方法の一は、複数の基本周波数ブロックを含むシステム帯域で無線通信を行う無線基地局装置の下りリンク制御チャネル信号の送信電力を制御する送信電力制御方法であって、前記無線基地局装置から移動端末装置に対して、前記複数の基本周波数ブロック毎に下りリンク制御チャネル信号を送信するステップと、前記移動端末装置が、前記複数の基本周波数ブロック毎に前記下りリンク制御チャネル信号を受信し、前記下りリンク制御チャネル信号に付随した下りリンク共有チャネル信号に対する再送応答信号を所定の基本周波数ブロックに集約して前記無線基地局装置に送信するステップと、前記移動端末装置が、所定の期間に通知された前記下りリンク共有チャネル信号に対する所定の再送応答信号の送信回数に関する情報を前記無線基地局装置に通知するステップと、前記無線基地局装置が、前記所定の期間に送信した前記下りリンク制御チャネル信号の送信回数Ｎと、前記移動端末装置から通知された所定の再送応答信号の送信回数に関する情報とに基づいて、下りリンク制御チャネル信号の送信電力を制御するステップと、を有することを特徴とする。
【発明の効果】
【００１５】
本発明によれば、複数の基本周波数ブロックで構成されるシステム帯域を有する通信システムにおいて、送信電力制御を適切に行うことが可能となる。
【図面の簡単な説明】
【００１６】
【図１】上りリンクの信号をマッピングするチャネル構成を説明するための図である。
【図２】再送応答信号（ＡＣＫ／ＮＡＣＫ／ＤＴＸ）について説明するための図である。
【図３】本発明の実施の形態の無線通信システムにおける再送応答信号のための無線リソースを説明するための模式図である。
【図４】本発明の一実施の形態に係る移動端末装置及び無線基地局装置を有する移動通信システムの構成を説明するための図である。
【図５】本発明の一実施の形態に係る無線基地局装置の概略構成を示す図である。
【図６】本発明の一実施の形態に係る移動端末装置の概略構成を示す図である。
【発明を実施するための形態】
【００１７】
上述したように、下りリンク共有チャネル（ＰＤＳＣＨ）の信号に対しては、そのフィードバック制御情報である再送応答信号（ＡＣＫ／ＮＡＣＫ）が上りリンク制御チャネル（ＰＵＣＣＨ）に割当てて送信される。再送応答信号は、送信信号が適切に受信されたことを示す肯定応答（ＡＣＫ:Acknowledgement）、それが適切に受信されなかったことを示す否定応答（ＮＡＣＫ：Negative  Acknowledgement）、又はＡＣＫもＮＡＣＫも移動端末装置から通知されなかったことを示すＤＴＸで表現される（図２参照）。
【００１８】
無線基地局装置は、肯定応答（ＡＣＫ）によりＰＤＳＣＨの送信成功を、否定応答（ＮＡＣＫ）によりＰＤＳＣＨに誤りが検出されたことを検知することができる。また、無線基地局装置は、上りリンクにおいて再送応答信号に割り当てた無線リソースでの受信電力が所定値以下である場合にＤＴＸであると判定することができる。
【００１９】
また、上述したように、再送応答信号の内容に基づいて、ＰＤＣＣＨ信号の送信電力制御を行うことが検討されている。以下に、ＡＣＫ／ＮＡＣＫ／ＤＴＸを用いたＰＤＣＣＨ信号のアウターループ制御の一例について説明する。
【００２０】
無線基地局装置は、移動端末装置に対して送信したＰＤＳＣＨ信号に対する再送応答信号を受信すると、当該再送応答信号の内容に基づいて、下記の式（５）を用いてＰＤＣＣＨ信号の送信電力制御に用いるオフセット値を制御する。
【００２１】
【数１】
0005388370.tif 000002
【００２２】
上記式（５）において、Δ’DL,iは任意のＣＣｉにおける時刻ｔ＋ΔＴのオフセット値、ΔDL,iは任意のＣＣｉにおける時刻ｔのオフセット値、Δadjは当該再送応答信号を用いてオフセットを制御するために用いる調整用オフセット値、ＢＬＥＲDL,targetはブロック誤り率（Block  Error  Rate）である。
【００２３】
ＰＤＳＣＨ信号に対して、移動端末装置からＡＣＫ又はＮＡＣＫが通知された場合には、移動端末装置がＰＤＣＣＨ信号を正しく受信できていることを意味する。そのため、ＰＤＣＣＨ信号の送信電力が十分であると判断し、オフセット値ΔDL,iを下げる動作を行う。一方で、移動端末装置に対して送信したＰＤＳＣＨ信号に対して、ＤＴＸが通知された場合には、移動端末装置がＰＤＣＣＨ信号を検知できていないことを意味する。そのため、ＰＤＣＣＨ信号の送信電力が不十分であると判断し、オフセット値ΔDL,iを上げる動作を行う。
【００２４】
このように、移動端末装置から再送応答信号が通知された際に、当該再生応答信号の内容に応じて所定のタイミングでＰＤＣＣＨ信号の送信電力制御に用いるオフセット値を制御することにより、送信電力制御を適切に行うことができる。
【００２５】
ところで、上述したように、ＬＴＥ−Ａシステムでは、使用可能な帯域幅を有する基本周波数ブロック（ＣＣ)を複数有するシステム帯域を採用している。ＬＴＥ−Ａシステムの下りリンクにおいては、無線基地局装置が複数の基本周波数ブロック（ＣＣ）を選択して周波数帯域を構成し、各ＣＣを用いてＰＤＣＣＨ信号等の情報を移動端末装置に対して通知する。このように、複数のＣＣでシステム帯域を広帯域化することをキャリアアグリゲーションという。
【００２６】
また、ＬＴＥ−Ａシステムの上りリンクにおいては、無線アクセス方式として、ＳＣ−ＦＤＭＡの適用が検討されている。このため、複数の下りＣＣで送信されたＰＤＳＣＨ信号に対する再送応答信号においても、上りシングルキャリア送信の特性を維持するために所定のＣＣのみから送信することが検討されている。具体的には、移動端末装置において、無線基地局装置から受信した複数のＣＣ毎のＰＤＳＣＨに基づいて、各ＣＣの再送応答信号を生成し、ユーザ特有（UE-specific）のＣＣ（ＰＣＣ）の上りリンク制御チャネル（ＰＵＣＣＨ）に集約するようにマッピングして送信することが検討されている。
【００２７】
しかしながら、各ＣＣの再送応答信号に関する情報を所定のＣＣに集約してマッピングする場合、再送応答信号の割当てビット数を低減する観点から、各ＣＣの再送応答信号について個別のＤＴＸの通知がサポートされないおそれがある。例えば、図３（ａ）に示すように、３つのＣＣから構成される周波数帯域において、各ＣＣが２コードワード伝送を行う場合に、各ＣＣの２つの再送応答信号の内容を６ビットで表現すると（図３（ｂ）参照）、各ＣＣについて個別のＤＴＸの通知はサポートされないこととなる。
【００２８】
この場合には、「全てのＣＣのＰＤＣＣＨが受信できない場合」又は「所定のＣＣ（ＰＣＣ）のみにＰＤＳＣＨの割当てがある場合」に関してＤＴＸの通知を行うことが可能となる。しかし、複数のＣＣに対してＰＤＳＣＨ信号の割当てがあり、１つ又は２つのＣＣにおいてＰＤＣＣＨ信号が正しく受信できない場合には、ビット情報に基づいてＤＴＸを判定することは困難となる。その結果、再送応答信号の内容に応じてＰＤＣＣＨ信号の送信電力を適切に制御することが困難となってしまう。
【００２９】
本発明者は、上記問題に鑑み、キャリアアグリゲーションにおいて、各ＣＣのＰＤＳＣＨ信号に対する再送応答信号を所定のＣＣに集約して無線基地局装置に通知する場合であっても、再送応答信号の内容に基づいて送信電力制御を適切に行う方法を検討した結果、本願発明に至った。具体的には、所定の期間に無線基地局装置から送信されたＰＤＣＣＨ信号の送信回数Ｎと、所定の期間に送信されたＰＤＣＣＨ信号に付随するＰＤＳＣＨ信号に対して移動端末装置から通知された所定の再送応答信号の送信回数に関する情報とに基づいて、再送応答信号の内容を特定することを着想した。
【００３０】
また、第１の態様として、移動端末装置が送信したＡＣＫ及びＮＡＣＫの送信回数Ｍ１（移動端末装置が受信したＰＤＣＣＨ信号の受信回数）を無線基地局装置に通知することにより、ＰＤＣＣＨ信号の送信回数Ｎと比較してＤＴＸの通知回数を特定して、ＰＤＣＣＨ信号の送信電力のオフセット値を適切に補正することを着想した。
【００３１】
また、第２の態様として、再送応答信号を受信した際に、ＮＡＣＫをＤＴＸと仮定して、オフセット値ΔDL,iを上げる送信電力制御動作を行うと共に、移動端末装置が送信したＮＡＣＫの送信回数Ｍ２を無線基地局装置に通知することにより、ＮＡＣＫの通知回数を検出して、ＰＤＣＣＨ信号の送信電力のオフセット値を適切に補正することを着想した。
【００３２】
以下、本発明の実施の形態について詳細に説明する。なお、本実施の形態においては、本発明をＬＴＥ−Ａに適用した例について説明するが、本発明はＬＴＥ−Ａに適用した場合に限定されるものではない。
【００３３】
本実施の形態で示すＰＤＣＣＨ信号の送信電力制御は、無線基地局装置が所定の期間に送信したＰＤＣＣＨ信号に対して、移動端末装置が当該ＰＤＣＣＨに付随するＰＤＳＣＨ信号に対して送信を行った再送応答信号の送信回数に関する情報に基づいて、再送応答信号の内容を特定し、ＰＤＣＣＨ信号の送信電力のオフセット値を適切に補正する。以下に、所定の再送応答信号の送信回数関する情報を、移動端末装置が送信したＡＣＫ及びＮＡＣＫの送信回数Ｍ１とする第１の送信電力制御と、移動端末装置が送信したＮＡＣＫの送信回数Ｍ２とする第２の送信電力制御について説明する。
【００３４】
（第１の送信電力制御）
第１の送信電力制御は、無線基地局装置が所定の期間に送信したＰＤＣＣＨ信号に対して、移動端末装置が送信を行った再送応答信号の送信回数に関する情報に基づいて、再送応答信号の内容を特定し、ＰＤＣＣＨ信号の送信電力のオフセット値を適切に補正する。
【００３５】
具体的には、所定の再送応答信号の送信回数に関する情報として、移動端末装置が送信したＡＣＫ及びＮＡＣＫの送信回数Ｍ１を用い、送信回数Ｍ１と、無線基地局装置が所定の期間に送信したＰＤＣＣＨ信号の送信回数Ｎに基づいて、移動端末装置がＰＤＣＣＨ信号を受信できなかった回数（Ｎ−Ｍ１）を検出する。そして、以下の式（１）を用いてＰＤＣＣＨ信号の送信電力のオフセット値を補正する。なお、ＡＣＫ及びＮＡＣＫの送信回数Ｍ１は、無線基地局装置が所定の期間に送信したＰＤＣＣＨ信号に対して、移動端末装置が受信したＰＤＣＣＨ信号の受信回数Ｍ１に相当する。
【００３６】
【数２】
0005388370.tif 000003
【００３７】
上記式（１）において、Δ’DL,iは任意のＣＣｉにおける時刻ｔ＋ΔＴのオフセット値、ΔDL,iは任意のＣＣｉにおける時刻ｔのオフセット値、Δadjは当該再送応答信号を用いてオフセットを制御するために用いる調整用オフセット値、ＢＬＥＲDL,targetはブロック誤り率（Block  Error  Rate）である。
【００３８】
移動端末装置から無線基地局装置に通知されるＰＤＣＣＨ信号の受信回数Ｍ１は上位レイヤ信号を用いて通知する構成とすることができる。例えば、所定のＣＣ（ＰＣＣ）のＰＵＳＣＨに割当てて無線基地局装置に通知することができる。
【００３９】
所定の期間としては、通信環境やＰＤＣＣＨ信号の送信電力制御に求められる精度等に応じて適宜変更して設定すればよい。例えば、radio  frameの整数倍とすることができる。この場合、既存のシステムでは、radio  frame単位で制御を行なっているため，本実施の形態に係る送信電力制御を既存システムに容易に導入できるという利点を奏する。
【００４０】
以下に、第１の送信電力制御の動作の一例を説明する。
【００４１】
まず、無線基地局装置から移動端末装置に対して、複数の基本周波数ブロックにそれぞれ対応するＰＤＣＣＨに情報がマッピングされて送信される。ＰＤＣＣＨは、ＰＤＳＣＨ及びＰＵＳＣＨのスケジューリング情報と変調法やチャネル符号化率等のフォーマット情報を示す制御チャネルである。
【００４２】
移動端末装置は、複数の基本周波数ブロックに対応するＰＤＣＣＨ信号を受信した後、当該ＰＤＣＣＨ信号に付随するＰＤＳＣＨ信号に対する再送応答信号を所定の基本周波数ブロック（ＰＣＣ）に集約して無線基地局装置に送信する。また、移動端末装置は、所定の期間に受信したＰＤＣＣＨ信号の受信回数Ｍ１を検出し、上位レイヤ信号を用いて無線基地局装置に通知する。
【００４３】
無線基地局装置は、移動端末装置から通知された所定の期間に受信したＰＤＣＣＨ信号の受信回数Ｍ１と、移動端末装置に対して所定の期間に送信したＰＤＣＣＨ信号の送信回数Ｎとに基づいて、上記式（１）を用いてＰＤＣＣＨ信号の送信電力制御に用いるオフセット値を補正する。
【００４４】
これにより、移動端末装置から各基本周波数ブロックで送信されたＰＤＳＣＨ信号に対する再送応答信号を所定の基本周波数ブロックに集約して送信する場合であっても、移動端末装置から通知された送信回数Ｍ１に基づいて、再送応答信号（ＤＴＸの通知回数）を特定することができる。その結果、ＡＣＫ／ＮＡＣＫ／ＤＴＸに応じてＰＤＣＣＨ信号の送信電力制御を行う場合であっても、適切に行うことが可能となる。
【００４５】
なお、上述した第１の送信電力制御は、各ＣＣ単位で行うことも可能である。この場合、所定の期間に各ＣＣで受信したＰＤＣＣＨ信号の受信回数Ｍ１を無線基地局装置に通知し、無線基地局装置において、各ＣＣに対応する受信回数Ｍ１に基づいて、各ＣＣにおけるＰＤＣＣＨ信号の送信電力のオフセット値を補正すればよい。
【００４６】
（第２の送信電力制御）
第２の送信電力制御は、所定のＣＣに集約された再送応答信号を受信した際に、ＮＡＣＫをＤＴＸと仮定して、ＰＤＣＣＨ信号の送信電力のオフセット値を制御すると共に、移動端末装置が所定の期間に送信を行ったＮＡＣＫの送信回数Ｍ２に関する情報に基づいて、ＰＤＣＣＨ信号の送信電力のオフセット値を適切に補正する。
【００４７】
具体的に、無線基地局装置は、移動端末装置から通知される再送応答信号を受信した際に、再送応答信号の内容に基づいて、以下の式（２）を用いてＰＤＣＣＨ信号の送信電力のオフセット値を制御する第１の電力制御動作を行う。また、無線基地局装置は、第１の電力制御動作に加えて、ＮＡＣＫの送信回数Ｍ２に基づいて、以下の式（３）を用いてＰＤＣＣＨ信号の送信電力のオフセット値を補正する第２の電力制御動作を行う。
【００４８】
【数３】
0005388370.tif 000004
【００４９】
【数４】
0005388370.tif 000005
【００５０】
上記式（２）、（３）において、Δ’DL,iは任意のＣＣｉにおける時刻ｔ＋ΔＴのオフセット値、ΔDL,iは任意のＣＣｉにおける時刻ｔのオフセット値、Δadjは再送応答信号を用いてオフセットを制御するために用いる調整用オフセット値、ＢＬＥＲDL,targetはブロック誤り率（Block  Error  Rate）である。
【００５１】
つまり、上記送信電力制御では、移動端末装置から再送応答信号が通知されるタイミングでＮＡＣＫをＤＴＸと仮定して、ＰＤＣＣＨ信号の送信電力のオフセット値を制御する（第１の電力制御動作）。この場合には、本来オフセット値を下げるＮＡＣＫ信号を、オフセット値を上げるＤＴＸと仮定しているため、ＰＤＣＣＨの送信電力が高くなり過品質となっている。そのため、第２の送信電力制御においては、さらに、移動端末装置から無線基地局装置に通知されるＮＡＣＫの送信回数Ｍ２に基づいて、本来下げるべきオフセット値を反映させる（第２の電力制御動作）ことにより、ＰＤＣＣＨ信号の送信電力のオフセット値を適切に補正する。
【００５２】
移動端末装置から無線基地局装置に通知されるＮＡＣＫの送信回数Ｍ２は上位レイヤ信号を用いて通知する構成とすることができる。例えば、所定のＣＣ（ＰＣＣ）のＰＵＳＣＨに割当てて無線基地局装置に通知する。
【００５３】
所定の期間としては、通信環境やＰＤＣＣＨ信号の送信電力制御に求められる精度等に応じて適宜変更して設定すればよい。例えば、radio  frameの整数倍とすることができる。
【００５４】
以下に、第２の送信電力制御の動作の一例を説明する。
【００５５】
まず、無線基地局装置から移動端末装置に対して、複数の基本周波数ブロックにそれぞれ対応するＰＤＣＣＨに情報がマッピングされて送信される。
【００５６】
移動端末装置は、複数の基本周波数ブロックに対応するＰＤＣＣＨ信号を受信した後、当該ＰＤＣＣＨ信号に付随するＰＤＳＣＨ信号に対する再送応答信号を所定の基本周波数ブロック（ＰＣＣ）に集約して無線基地局装置に送信する。また、移動端末装置は、所定の期間に送信したＮＡＣＫの送信回数Ｍ２を検出し、上位レイヤ信号を用いて無線基地局装置に通知する。
【００５７】
無線基地局装置は、移動端末装置から通知される再送応答信号を受信した際に、再送応答信号の内容に基づいて、上記式（２）を用いてＰＤＣＣＨ信号の送信電力のオフセット値を制御する（第１の電力制御動作）。また、無線基地局装置は、移動端末装置から無線基地局装置に通知されるＮＡＣＫの送信回数Ｍ２に基づいて、上記式（３）を用いてＰＤＣＣＨ信号の送信電力のオフセット値を補正する（第２の電力制御動作）。
【００５８】
このように、再送応答信号を受信したタイミングで、ＮＡＣＫをＤＴＸと仮定して、ＰＤＣＣＨ信号の送信電力のオフセット値を制御する一方で、移動端末装置から無線基地局装置に通知されるＮＡＣＫの送信回数Ｍ２に基づいて、本来下げるべきオフセット値を反映させる補正を行うことにより、再送応答信号（ＤＴＸの通知回数）を特定することができる。その結果、ＡＣＫ／ＮＡＣＫ／ＤＴＸに応じてＰＤＣＣＨ信号の送信電力を制御する場合であっても、適切に制御することができる。
【００５９】
（２コードワード伝送の場合）
また、上記図３に示すように、２コードワード伝送（ランク２）の場合には、各ＣＣで送信されるＰＤＳＣＨに対して、「ＡＣＫ、ＡＣＫ」、「ＡＣＫ、ＮＡＣＫ」、「ＮＡＣＫ、ＡＣＫ」、「ＮＡＣＫ、ＮＡＣＫ」、「ＤＴＸ」の５つの状態が考えられる。
【００６０】
コードワードは、チャネル符号化（誤り訂正符号化）の符号化単位を指しており、ＭＩＭＯ多重伝送適用時は１または複数コードワードの伝送を行う。ＬＴＥではシングルユーザＭＩＭＯでは最大２コードワードを用いる。２レイヤ送信の場合は、各レイヤが独立したコードワードとなり、４レイヤ送信の場合は２レイヤ毎に１コードワードとなる。
【００６１】
第２の送信電力制御において２コードワード伝送の場合には、各ＣＣのＰＤＳＣＨに対する２つの再送応答信号として一方がＡＣＫであれば、当該ＣＣのＰＤＣＣＨ信号が移動端末装置において正しく受信できたと仮定し、オフセット値を下げる動作を行ってもよい。一方で、双方がＮＡＣＫの場合はＤＴＸと区別がつかないため、双方がＮＡＣＫである場合にＤＴＸと仮定して、オフセット値を下げる制御を行う。
【００６２】
また、この際、上記ＮＡＣＫの送信回数Ｍ２は、双方がＮＡＣＫの場合にカウントする。
【００６３】
具体的には、各基本周波数ブロックにそれぞれ対応する２つの再送応答信号のいずれかがＡＣＫであれば、再送応答信号の内容に基づいて、上記式（２）に換えて以下の式（４）を用いてＰＤＣＣＨ信号の送信電力のオフセット値を制御する。また、各基本周波数ブロックにそれぞれ対応する２つの再送応答信号の双方がＮＡＣＫである場合に、ＮＡＣＫの送信回数Ｍ２をカウントし、送信回数Ｍ２に基づいて、上記式（３）を用いてＰＤＣＣＨ信号の送信電力のオフセット値を補正する。
【００６４】
【数５】
0005388370.tif 000006
【００６５】
上記式（４）において、Δ’DL,iは任意のＣＣｉにおける時刻ｔ＋ΔＴのオフセット値、ΔDL,iは任意のＣＣｉにおける時刻ｔのオフセット値、Δadjは再送応答信号を用いてオフセットを制御するために用いる調整用オフセット値、ＢＬＥＲDL,targetはブロック誤り率（Block  Error  Rate）である。
【００６６】
これにより、所定のＣＣに集約された再送応答信号を受信した際に、ＮＡＣＫをＤＴＸと仮定する回数を低減し、ＰＤＣＣＨ信号の送信電力のオフセット値をより効果的に制御することが可能となる。
【００６７】
（第２の送信電力制御の変形例）
上述したように、複数の基本周波数ブロックを有するシステム帯域において、移動端末装置から各基本周波数ブロックで送信されたＰＤＳＣＨ信号に対する再送応答信号を所定の基本周波数ブロックに集約して送信する場合であっても、所定のＣＣ（ＰＣＣ）のみにＰＤＳＣＨの割当てがある場合に関してはＤＴＸの通知を行うことが可能となる。つまり、ＰＣＣに対して選択的にＰＵＣＣＨの送信があった場合は、上記式（５）を適用することにより、再送応答信号の内容に応じて適切にＰＤＣＣＨ信号の送信電力のオフセット値を制御することが可能となる。
【００６８】
具体的に、送信電力制御部は、複数の基本周波数ブロックの中で所定の基本周波数ブロック（ＰＣＣ）を用いて選択的に送信されたＰＤＳＣＨ信号に対する再送応答信号を受信した際に、当該再送応答信号の内容に基づいて、上記式（５）を用いてＰＤＣＣＨ信号の送信電力のオフセット値を制御する。また、この際、所定の基本周波数ブロックのＰＤＳＣＨ信号に対応する再送応答信号がＮＡＣＫである場合には、上記ＮＡＣＫの送信回数Ｍ２に含めない値を用いて、上記式（３）を用いてＰＤＣＣＨ信号の送信電力のオフセット値の補正を行う。
【００６９】
ＮＡＣＫの送信回数Ｍ２に含めない方法としては、選択的に送信されたＰＣＣのＰＤＳＣＨ信号に対応するＮＡＣＫについて、移動端末装置側においてカウントしないようにＮＡＣＫの送信回数Ｍ２を規定し、当該規定したＮＡＣＫの送信回数Ｍ２を無線基地局装置に送信する構成とすることができる。また、無線端末装置側で制御する場合には、移動端末装置側において全てのＮＡＣＫについてカウントして無線端末装置にＮＡＣＫの送信回数Ｍ２を通知した後、無線端末装置側において通知されたＮＡＣＫの送信回数Ｍ２から、選択的に送信されたＰＣＣのＰＤＳＣＨ信号に対応するＮＡＣＫの数を減らす構成としてもよい。
【００７０】
つまり、上記第２の送信電力制御方法において、無線基地局装置が再送応答信号を受信した際には、送信状況に応じて、上記式（２）、（４）、（５）を使い分けてＰＤＣＣＨ信号の送信電力のオフセット値を制御すると共に、上記（３）式を用いて当該オフセット値を補正する構成とすることができる。
【００７１】
なお、上述した第２の送信電力制御は、各ＣＣ単位で行うことも可能である。この場合、所定の期間に各ＣＣで受信したＮＡＣＫの送信回数Ｍ２を無線基地局装置に通知し、無線基地局装置において、各ＣＣに対応する送信回数Ｍ２に基づいて、各ＣＣにおけるＰＤＣＣＨ信号の送信電力のオフセット値を補正すればよい。
【００７２】
（移動通信システム構成）
以下、本発明に係る通信制御方法が適用される移動端末装置及び無線基地局装置等の構成について説明する。ここでは、ＬＴＥ−Ａ方式のシステム（ＬＴＥ−Ａシステム）に対応する無線基地局装置及び移動端末装置を用いる場合について説明する。
【００７３】
まず、図４を参照しながら、本発明に係る通信制御方法が適用される移動端末装置及び無線基地局装置を有する無線通信システムについて説明する。図４は、本発明の一実施の形態に係る移動端末装置１０及び無線基地局装置２０を有する無線通信システム１の構成を説明するための図である。なお、図４に示す無線通信システム１は、例えば、ＬＴＥシステムが包含されるシステムである。また、この無線通信システム１０は、ＩＭＴ−Ａｄｖａｎｃｅｄと呼ばれても良いし、４Ｇと呼ばれても良い。
【００７４】
図４に示すように、無線通信システム１は、無線基地局装置２０と、この無線基地局装置２０と通信する複数の移動端末装置１０（１０１、１０２、１０３、・・・１０ｎ、ｎはｎ＞０の整数）とを含んで構成されている。無線基地局装置２０は、コアネットワーク３０と接続される。移動端末装置１０は、セル４０において無線基地局装置２０と通信を行っている。なお、コアネットワーク３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７５】
無線通信システム１０においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）又はクラスタ化ＤＦＴ拡散ＯＦＤＭ（Clustered  DFT-Spread  OFDM）が適用される。
【００７６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７７】
ここで、ＬＴＥシステムにおける通信チャネルについて説明する。下りリンクについては、各移動端末装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、送信識別ビットを含むＵＬスケジューリンググラントやＤＬスケジューリンググラントは、Ｌ１／Ｌ２制御チャネル（ＰＤＣＣＨ）により移動端末装置１０に通知される。
【００７８】
上りリンクについては、各移動端末装置１０で共有して使用されるＰＵＳＣＨと、上りリンクの制御チャネルであるＰＵＣＣＨとが用いられる。このＰＵＳＣＨにより、ユーザデータが伝送される。また、ＰＵＣＣＨにより、下りリンクの無線品質情報（ＣＱＩ：Channel  Quality  Indicator）等が伝送される。
【００７９】
次に、図５を参照して、無線基地局装置２０の機能構成について説明する。図５は、無線基地局装置２０の機能ブロック図の一例である。
【００８０】
送信部は、上りリソース割り当て情報信号生成部２０１と、他の下りリンクチャネル信号と、上りリソース割り当て情報信号とを多重してＯＦＤＭ信号を生成するＯＦＤＭ信号生成部２０２とを有し、移動端末装置１０に対して複数の基本周波数ブロック毎にＰＤＣＣＨ信号を送信する。なお、図５に示す他の下りリンクチャネル信号は、データ、参照信号、制御信号などを含む。
【００８１】
上りリソース割り当て情報信号生成部２０１は、ＣＡＺＡＣ番号、リソースマッピング情報、巡回シフト番号、ブロック拡散符号番号（ＯＣＣ番号）を含む上りリソース割り当て情報信号を生成する。上りリソース割り当て情報信号生成部２０１は、生成した上りリソース割り当て情報信号をＯＦＤＭ信号生成部２０２に出力する。
【００８２】
ＯＦＤＭ信号生成部２０２は、他の下りリンクチャネル信号及び上りリソース割り当て情報信号を含む下りリンク信号（ＰＤＣＣＨ信号、ＰＤＳＣＨ信号等）をサブキャリアにマッピングし、逆高速フーリエ変換（ＩＦＦＴ）し、ＣＰを付加することにより、下り送信信号を生成する。このように生成された下り送信信号は、複数の基本周波数ブロック毎に下りリンクで移動端末装置１０に送信される。
【００８３】
また、送信部は、再送応答信号に関する情報に基づいて、ＰＤＣＣＨ信号の送信電力を制御する送信電力制御部２１１を有している。送信電力制御部２１１は、所定の期間に移動端末装置１０に対して送信したＰＤＣＣＨ信号の送信回数Ｎと、所定の期間に送信されたＰＤＣＣＨ信号に付随するＰＤＳＣＨ信号に対して移動端末装置１０から通知された所定の再送応答信号の送信回数に関する情報とに基づいて、ＰＤＣＣＨ信号の送信電力を制御する。具体的には、送信電力制御部２１１は、上述した第１の送信電力制御又は第２の送信電力制御を適用することができる。
【００８４】
例えば、移動端末装置１０から通知される所定の再送応答信号の送信回数に関する情報が、移動端末装置１０が所定の期間にＰＤＣＣＨ信号を受信した受信回数Ｍ１である場合には（第１の送信電力制御）、送信電力制御部２１１は、送信回数Ｍ１と、送信回数Ｎに基づいて、上述した式（１）を用いてＰＤＣＣＨ信号の送信電力のオフセット値を補正して送信電力を制御する。
【００８５】
また、移動端末装置１０から通知される所定の再送応答信号の送信回数に関する情報が、所定の再送応答信号の送信回数に関する情報が、移動端末装置１０が送信したＮＡＣＫの送信回数Ｍ２である場合には（第２の送信電力制御）、送信電力制御部２１１は、再送応答信号を受信した際に、再送応答信号の内容に基づいて、上述した式（２）を用いてＰＤＣＣＨ信号の送信電力のオフセット値を制御する。また、送信回数Ｍ２に基づいて、上述した式（３）を用いてＰＤＣＣＨ信号の送信電力のオフセット値を補正することにより送信電力制御を行う。
【００８６】
受信部は、受信信号からＣＰを除去するＣＰ除去部２０３と、受信信号を高速フーリエ変換（ＦＦＴ）するＦＦＴ部２０４と、ＦＦＴ後の信号をデマッピングするサブキャリアデマッピング部２０５と、サブキャリアデマッピング後の信号に対してブロック拡散符号（ＯＣＣ）で逆拡散するブロック逆拡散部２０６と、逆拡散後に信号から巡回シフトを除去して対象とするユーザの信号を分離する巡回シフト分離部２０７と、ユーザ分離後のデマッピング後の信号についてチャネル推定を行うチャネル推定部２０８と、チャネル推定値を用いてサブキャリアデマッピング後の信号をデータ復調するデータ復調部２０９と、データ復調後の信号をデータ復号するデータ復号部２１０とを有する。
【００８７】
ＣＰ除去部２０３は、ＣＰに相当する部分を除去して有効な信号部分を抽出する。ＣＰ除去部２０３は、ＣＰ除去後の信号をＦＦＴ部２０４に出力する。ＦＦＴ部２０４は、受信信号をＦＦＴして周波数領域の信号に変換する。ＦＦＴ部２０４は、ＦＦＴ後の信号をサブキャリアデマッピング部２０５に出力する。サブキャリアデマッピング部２０５は、リソースマッピング情報を用いて周波数領域の信号から上り制御チャネル信号であるＡＣＫ／ＮＡＣＫ信号を抽出する。サブキャリアデマッピング部２０５は、抽出されたＡＣＫ／ＮＡＣＫ信号をデータ復調部２０９へ出力する。サブキャリアデマッピング部２０５は、抽出された参照信号をブロック逆拡散部２０６へ出力する。
【００８８】
ブロック逆拡散部２０６では、ブロック拡散、すなわち直交符号（ＯＣＣ）（ブロック拡散符号）を用いて直交多重された受信信号を、移動端末装置１０で用いた直交符号で逆拡散する。ブロック逆拡散部２０６は、逆拡散後の信号を巡回シフト分離部２０７へ出力する。巡回シフト分離部２０７は、巡回シフトを用いて直交多重された制御信号を、巡回シフト番号を用いて分離する。移動端末装置１０からの上り制御チャネル信号には、ユーザ毎に異なる巡回シフト量で巡回シフトが行われている。したがって、移動端末装置１０で行われた巡回シフト量と同じ巡回シフト量だけ逆方向に巡回シフトを行うことにより、受信処理の対象とするユーザの制御信号を分離することができる。巡回シフト分離部２０７は、ユーザ分離後の信号をチャネル推定部２０８に出力する。
【００８９】
チャネル推定部２０８は、巡回シフト及び直交符号を用いて直交多重された参照信号を、巡回シフト番号及び必要に応じてＯＣＣ番号を用いて分離する。チャネル推定部２０８においては、巡回シフト番号に対応した巡回シフト量を用いて逆方向に巡回シフトを行う。また、ＯＣＣ番号に対応した直交符号を用いて逆拡散する。これにより、ユーザの信号（参照信号）を分離することが可能となる。また、チャネル推定部２０８は、リソースマッピング情報を用いて周波数領域の信号から受信した参照信号を抽出する。そして、ＣＡＺＡＣ番号に対応するＣＡＺＡＣ符号系列と受信したＣＡＺＡＣ符号系列との相関をとることにより、チャネル推定を行う。
【００９０】
データ復調部２０９は、ＡＣＫ／ＮＡＣＫ信号をデータ復調し、データ復号部２１０に出力する。このとき、データ復調部２０９は、チャネル推定部２０８からのチャネル推定値に基づいてデータ復調する。また、データ復号部２１０は、復調後のＡＣＫ／ＮＡＣＫ信号をデータ復号してＡＣＫ／ＮＡＣＫ情報として出力する。
【００９１】
無線基地局装置２０においては、ＡＣＫ／ＮＡＣＫ／ＤＴＸ情報に基づいて、移動端末装置１０に対する新規のＰＤＳＣＨの送信、或いは、送信したＰＤＳＣＨの再送を判断する。また、送信電力制御部２１１は、上述した第２の送信電力制御を適用する場合には、通知されたＡＣＫ／ＮＡＣＫ／ＤＴＸ情報に基づいて、ＰＤＣＣＨ信号の送信電力のオフセット値を制御する。
【００９２】
図６は、本実施の形態に係る移動端末装置１０の概略構成を示す図である。図６に示す移動端末装置１０は、送信部と受信部とを備えている。受信部は、無線基地局装置２０から複数の基本周波数ブロック毎に通知されるＰＤＣＣＨ信号を受信し、所定の期間に通知されたＰＤＣＣＨ信号に付随するＰＤＳＣＨ信号に対する所定の再送応答信号の送信回数に関する情報を検出する。また、送信部は、ＰＤＣＣＨ信号に付随したＰＤＳＣＨ信号に対する再送応答信号を所定の基本周波数ブロックに集約して無線基地局装置２０に送信すると共に、ＰＤＳＣＨ信号に対する所定の再送応答信号の送信回数に関する情報を無線基地局装置２０に通知する。以下に、送信部と受信部の構成について具体的に説明する。
【００９３】
送信部は、第１ＡＣＫ／ＮＡＣＫ信号処理部１００と、第２ＡＣＫ／ＮＡＣＫ信号処理部１３０と、参照信号処理部１０１と、ＡＣＫ／ＮＡＣＫ信号と参照信号とを時間多重する時間多重部１０２とを備えている。なお、送信部の機能ブロックにはユーザデータ（ＰＵＳＣＨ信号)を送信する処理ブロックが図示されていないが、ユーザデータ（ＰＵＳＣＨ)は時間多重部１０２にて多重される。
【００９４】
上記第２の送信電力の変形例で示したように、所定のＣＣ（ＰＣＣ）のＰＤＳＣＨに対して選択的に割当てがあった場合は、第１ＡＣＫ／ＮＡＣＫ信号処理部１００を適用し、それ以外の場合（複数のＣＣのＰＤＳＣＨに対して割当てがあった場合）は第２ＡＣＫ／ＮＡＣＫ信号処理部１３０を適用することができる。また、ＰＤＳＣＨ信号に対する所定の再送応答信号の送信回数に関する情報は、上りリンク共有チャネルに割当てて無線基地局装置２０に通知することができる。
【００９５】
第１ＡＣＫ／ＮＡＣＫ信号処理部１００は、ＬＴＥ（Ｒｅｌ−８）システムで規定されるＰＵＣＣＨフォーマット１（１ａ、１ｂ）によって再送応答信号を送信する際に必要となる処理を行う部分である。例えば、上記第２の送信電力の変形例で示したように、所定のＣＣ（ＰＣＣ）のＰＤＳＣＨに対して選択的に割当てがあった場合には、ＬＴＥ（Ｒｅｌ−８）システムと同様の要領で再送応答信号を送信する際に必要となる処理を行う。
【００９６】
第１ＡＣＫ／ＮＡＣＫ信号処理部１００は、ＣＡＺＡＣ番号に対応するＣＡＺＡＣ符号系列を生成するＣＡＺＡＣ符号生成部１００１と、ＡＣＫ／ＮＡＣＫビット系列を誤り訂正符号化するチャネル符号化部１００２と、データ変調するデータ変調部１００３と、生成したＣＡＺＡＣ符号系列をデータ変調後の信号によりブロック変調するブロック変調部１００４と、ブロック変調後の信号に対して巡回シフトを行う巡回シフト部１００５と、巡回シフト後の信号にブロック拡散符号でブロック拡散する（直交符号を乗算する）ブロック拡散部１００６と、ブロック拡散後の信号をサブキャリアにマッピングするサブキャリアマッピング部１００７と、マッピング後の信号を逆高速フーリエ変換（ＩＦＦＴ）するＩＦＦＴ部１００８と、ＩＦＦＴ後の信号にＣＰ（Cyclic  Prefix）を付与するＣＰ付与部１００９とを有する。
【００９７】
第２ＡＣＫ／ＮＡＣＫ信号処理部１３０は、複数のＣＣからＰＤＳＣＨ信号が通知された場合に再送応答信号を送信する際に必要となる処理（ＰＵＣＣＨフォーマット３）を行う部分である。
【００９８】
第２ＡＣＫ／ＮＡＣＫ信号処理部１３０は、ＡＣＫ／ＮＡＣＫビット系列を誤り訂正符号化するチャネル符号化部１３０１と、ＡＣＫ／ＮＡＣＫビット系列をデータ変調するデータ変調部１３０２と、データ変調後の信号にＤＦＴ（Discrete  Fourier  Transform）するＤＦＴ部１３０３と、ＤＦＴ後の信号にブロック拡散符号でブロック拡散するブロック拡散部１３０４と、ブロック拡散後の信号をサブキャリアにマッピングするサブキャリアマッピング部１３０５と、マッピング後の信号をＩＦＦＴするＩＦＦＴ部１３０６と、ＩＦＦＴ後の信号にＣＰを付与するＣＰ付与部１３０７とを有する。
【００９９】
参照信号処理部１０１は、ＣＡＺＡＣ番号に対応するＣＡＺＡＣ符号系列を生成するＣＡＺＡＣ符号生成部１０１１と、ＣＡＺＡＣ符号系列により構成される参照信号に対して巡回シフトを行う巡回シフト部１０１２と、巡回シフト後の信号にブロック拡散符号でブロック拡散するブロック拡散部１０１３と、ブロック拡散後の信号をサブキャリアにマッピングするサブキャリアマッピング部１０１４と、マッピング後の信号をＩＦＦＴするＩＦＦＴ部１０１５と、ＩＦＦＴ後の信号にＣＰを付与するＣＰ付与部１０１６とを有する。
【０１００】
なお、上りリンクの参照信号には、ＳＲＳ（Surrounding  RS）とＲＳとが含まれる。ＳＲＳは、スケジューリング（及びタイミング制御）に必要な各移動端末装置１０の上りリンクチャネルの状態を無線基地局装置２０にて推定するための参照信号であり、ＰＵＳＣＨ信号、ＰＵＣＣＨ信号とは独立に第２スロットの最終ＳＣ−ＦＤＭＡシンボルに多重される。一方、ＲＳは、各スロットの第２シンボルと第６シンボルに多重される。
【０１０１】
移動端末装置１０では、下りリンク共有チャネル（ＰＤＳＣＨ）を用いて受信した信号に対してＡＣＫ／ＮＡＣＫを判定し、これに対応するＡＣＫ／ＮＡＣＫビット系列を生成する。生成されたＡＣＫ／ＮＡＣＫビット系列は、予め定められた符号化テーブルに基づいて符号化された後、第１ＡＣＫ／ＮＡＣＫ信号処理部１００又は第２ＡＣＫ／ＮＡＣＫ信号処理部１３０に出力される。具体的には、ＡＣＫ／ＮＡＣＫビット系列は、ＰＵＣＣＨフォーマット１（１ａ、１ｂ）が指定される場合には、第１ＡＣＫ／ＮＡＣＫ信号処理部１００に出力され、ＰＵＣＣＨフォーマット３が指定される場合には、第２ＡＣＫ／ＮＡＣＫ信号処理部１３０に出力される。
【０１０２】
第１ＡＣＫ／ＮＡＣＫ信号処理部１００のデータ変調部１００３は、チャネル符号化部１００２でチャネル符号化されたＡＣＫ／ＮＡＣＫビット系列を極座標成分の信号に変調する。データ変調部１００３は、データ変調後の信号をブロック変調部１００４へ出力する。ＣＡＺＡＣ符号生成部１００１は、ユーザに割り当てられているＣＡＺＡＣ番号に対応するＣＡＺＡＣ符号系列を準備する。ＣＡＺＡＣ符号生成部１００１は、生成したＣＡＺＡＣ符号系列をブロック変調部１００４へ出力する。ブロック変調部１００４は、１ＳＣ−ＦＤＭＡシンボルに対応する時間ブロック毎にＣＡＺＡＣ符号系列を、データ変調後の制御信号でブロック変調する。ブロック変調部１００４は、ブロック変調後の信号を巡回シフト部１００５に出力する。
【０１０３】
巡回シフト部１００５は、時間領域の信号を所定の巡回シフト量だけ巡回シフトする。なお、巡回シフト量はユーザ毎に異なり、巡回シフト番号に対応づけられている。巡回シフト部１００５は、巡回シフト後の信号をブロック拡散部１００６に出力する。ブロック拡散部１００６は、巡回シフト後の参照信号に直交符号（ＯＣＣ：Orthogonal  Cover  Code）を乗算する（ブロック拡散する）。ブロック拡散部１００６は、ブロック拡散後の信号をサブキャリアマッピング部１００７に出力する。
【０１０４】
サブキャリアマッピング部１００７は、ブロック拡散後の信号をリソースマッピング情報に基づき、サブキャリアにマッピングする。サブキャリアマッピング部１００７は、マッピングされた信号をＩＦＦＴ部１００８に出力する。ＩＦＦＴ部１００８は、マッピングされた信号をＩＦＦＴして時間領域の信号に変換する。ＩＦＦＴ部１００８は、ＩＦＦＴ後の信号をＣＰ付与部１００９に出力する。ＣＰ付与部１００９は、マッピング後の信号にＣＰを付与する。ＣＰ付与部１００９は、ＣＰを付与した信号を時間多重部１０２に出力する。
【０１０５】
第２ＡＣＫ／ＮＡＣＫ信号処理部１３０のデータ変調部１３０２は、チャネル符号化部１３０１でチャネル符号化されたＡＣＫ／ＮＡＣＫビット系列を極座標成分の信号に変調する。データ変調部１３０２は、データ変調後の信号をＤＦＴ部１３０３へ出力する。ＤＦＴ部１３０３は、データ変調後の信号にＤＦＴして周波数領域の信号に変換する。ＤＦＴ部１３０３は、ＤＦＴ後の信号をブロック拡散部１３０４に出力する。ブロック拡散部１３０４は、ＤＦＴ後の信号に直交符号（ＯＣＣ）を乗算する。ブロック拡散部１３０４は、ブロック拡散後の信号をサブキャリアマッピング部１３０５に出力する。
【０１０６】
サブキャリアマッピング部１３０５は、ブロック拡散後の信号をリソースマッピング情報に基づき、サブキャリアにマッピングする。サブキャリアマッピング部１３０５は、マッピングされた信号をＩＦＦＴ部１３０６に出力する。ＩＦＦＴ部１３０６は、マッピングされた信号をＩＦＦＴして時間領域の信号に変換する。ＩＦＦＴ部１３０６は、ＩＦＦＴ後の信号をＣＰ付与部１３０７に出力する。ＣＰ付与部１３０７は、マッピング後の信号にＣＰを付与する。ＣＰ付与部１３０７は、ＣＰを付与した信号を時間多重部１０２に出力する。
【０１０７】
参照信号処理部１０１のＣＡＺＡＣ符号生成部１０１１は、ユーザに割り当てられているＣＡＺＡＣ番号に対応するＣＡＺＡＣ符号系列を準備し、参照信号として用いる。ＣＡＺＡＣ符号生成部１０１１は、参照信号を巡回シフト部１０１２に出力する。巡回シフト部１０１２は、時間領域の参照信号を所定の巡回シフト量だけシフトする。なお、巡回シフト量はユーザ毎に異なり、巡回シフト番号に対応づけられている。巡回シフト部１０１２は、巡回シフト後の参照信号をブロック拡散部１０１３に出力する。
【０１０８】
ブロック拡散部１０１３は、巡回シフト後の参照信号に直交符号（ＯＣＣ）を乗算する。ここで、参照信号に用いるＯＣＣ（ブロック拡散符号番号）については、上位レイヤからＲＲＣシグナリングなどで通知しても良く、データシンボルのＣＳ（Cyclic  Shift）に予め関連付けられたＯＣＣを用いても良い。ブロック拡散部１０１３は、ブロック拡散後の信号をサブキャリアマッピング部１０１４に出力する。
【０１０９】
サブキャリアマッピング部１０１４は、周波数領域の信号をリソースマッピング情報に基づき、サブキャリアにマッピングする。サブキャリアマッピング部１０１４は、マッピングされた参照信号をＩＦＦＴ部１０１５に出力する。ＩＦＦＴ部１０１５は、マッピングされた信号をＩＦＦＴして時間領域の参照信号に変換する。ＩＦＦＴ部１０１５は、ＩＦＦＴ後の参照信号をＣＰ付与部１０１６に出力する。ＣＰ付与部１０１６は、直交符号乗算後の参照信号にＣＰを付与する。ＣＰ付与部１０１６は、ＣＰを付与した参照信号を時間多重部１０２に出力する。
【０１１０】
時間多重部１０２では、第１ＡＣＫ／ＮＡＣＫ信号処理部１００又は第２ＡＣＫ／ＮＡＣＫ信号処理部１３０からの上り制御信号と、参照信号処理部１０１からの参照信号とを時間多重して、上り制御チャネル信号を含む送信信号とする。このように生成された送信信号は、上りリンクにて無線基地局装置２０に送信される。
【０１１１】
受信部は、ＯＦＤＭ信号を復調するＯＦＤＭ信号復調部１０３と、下り制御信号を復号して再送応答信号のための無線リソースを判定する下り制御信号復号部１０４と、下りリンク信号によりＡＣＫ／ＮＡＣＫを判定するＡＣＫ／ＮＡＣＫ判定部１０６と、ＡＣＫ／ＮＡＣＫ信号符号化部１０７とを有する。
【０１１２】
ＯＦＤＭ信号復調部１０３は、下りＯＦＤＭ信号を受信し、復調する。すなわち、下りＯＦＤＭ信号からＣＰを除去し、高速フーリエ変換し、ＢＣＨ信号或いは下り制御信号が割り当てられたサブキャリアを取り出し、データ復調する。ＯＦＤＭ信号復調部１０３は、データ復調後の信号を下り制御信号復号部１０４に出力する。また、ＯＦＤＭ信号復調部１０３は、下りリンク信号をＡＣＫ／ＮＡＣＫ判定部１０６に出力する。
【０１１３】
下り制御信号復号部１０４は、データ復調後の信号を復号して、自装置に割り当てられた再送応答信号のための無線リソースを判定する。具体的には、下り制御信号復号部１０４は、データ復調後の信号を復号して、無線リソースとして、ＣＡＺＡＣ番号、リソースマッピング情報、巡回シフト番号、ブロック拡散符号番号を得る。下り制御信号復号部１０４は、これらの無線リソースをＡＣＫ／ＮＡＣＫ判定部１０６に出力する。
【０１１４】
ＡＣＫ／ＮＡＣＫ判定部１０６は、ＰＤＳＣＨ信号が誤りなく受信できたか否かを判定し、ＰＤＳＣＨが誤りなく受信できていればＡＣＫ、誤りが検出されればＮＡＣＫ、ＰＤＳＣＨが検出されなければＤＴＸの各状態を判定結果（ＡＣＫ／ＮＡＣＫビット系列）としてＡＣＫ／ＮＡＣＫ信号符号化部１０７に出力する。無線基地局装置２０との通信に複数ＣＣが割り当てられている場合は、ＣＣ毎にＰＤＳＣＨが誤りなく受信できたか否かを判定する。また、ＡＣＫ／ＮＡＣＫ判定部１０６は、所定の期間に通知されたＰＤＳＣＨ信号に対する所定の再送応答信号の送信回数に関する情報を検出し、送信部を介して無線基地局装置に通知する。
【０１１５】
ＡＣＫ／ＮＡＣＫ信号符号化部１０７は、ＡＣＫ／ＮＡＣＫ判定部１０６による判定結果（ＡＣＫ／ＮＡＣＫビット系列）を、予め定められた符号化テーブルに基づいて符号化する。
【０１１６】
このように、本実施の形態によれば、複数の基本周波数ブロックを有するシステム帯域において、各基本周波数ブロックで送信されたＰＤＳＣＨ信号に対する再送応答信号が所定の基本周波数ブロックに集約して送信される場合であっても、再送応答信号の送信回数を特定して、ＰＤＣＣＨ信号の送信電力制御を適切に行うことが可能となる。
【０１１７】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【０１１８】
１  移動通信システム
１０  移動端末装置
２０  無線基地局装置
３０  コアネットワーク
４０  セル
１００  第１ＡＣＫ／ＮＡＣＫ信号処理部
１０１  参照信号処理部
１０２  時間多重部
１０３  ＯＦＤＭ信号復調部
１０４  下り制御信号復号部
１０６  ＡＣＫ／ＮＡＣＫ判定部
１０７  ＡＣＫ／ＮＡＣＫ信号符号化部
１３０  第２ＡＣＫ／ＮＡＣＫ信号処理部
２０１  上りリソース割り当て情報信号生成部
２０２  ＯＦＤＭ信号生成部
２０３  ＣＰ除去部
２０４  ＦＦＴ部
２０５  サブキャリアデマッピング部
２０６  ブロック逆拡散部
２０７  巡回シフト分離部
２０８  チャネル推定部
２０９  データ復調部
２１０  データ復号部
２１１  送信電力制御部
１００１、１０１１  ＣＡＺＡＣ符号生成部
１００２、１３０１  チャネル符号化部
１００３、１３０２  データ変調部
１００４  ブロック変調部
１００５、１０１２  巡回シフト部
１００６、１０１３、１３０４  ブロック拡散部
１００７、１０１４、１３０５  サブキャリアマッピング部
１００８、１０１５、１３０５  ＩＦＦＴ部
１００９、１０１６、１３０７  ＣＰ付与部
１３０３  ＤＦＴ部
【図１】
0005388370.tif 000017
【図２】
0005388370.tif 000018
【図３】
0005388370.tif 000019
【図４】
0005388370.tif 000020
【図５】
0005388370.tif 000021
【図６】
0005388370.tif 000022